(57)【要約】      （修正有）【課題】種々の機能糸の機能を保持しつつ、従来の織物が持つその他の機能をそのまま活用すべく、袋織部を組織する段階で自由直交糸を挿入し得る、機能糸を含む原糸を内包した織物とその製造方法の提供。【解決手段】原糸を内包した織物１は、経糸１１，１３、２１，２３と緯糸１２、２２を織りなして組織された複数の布層１０，２０を含み、隣接する少なくとも２層の布層間が、緯糸方向に延伸する複数の接結部４０に沿って接結されて袋織部５０が組織され、該複数の布層が一体化された１または複数の袋織部を有する織物において、少なくとも１つの袋織部を組織する２枚の布層間に、該２枚の布層組織と独立して、１又は複数の原糸３が緯糸方向に挿入されている織物。【選択図】図１
2018066094.tif 000002
【特許請求の範囲】
【請求項１】
経糸と緯糸を織りなして組織された複数の布層を含み、
隣接する少なくとも２層の布層間が、緯糸方向に延伸する複数の接結部に沿って接結されて袋織部が組織され、該複数の布層が一体化された１または複数の該袋織部を有する織物において、
少なくとも１つの前記袋織部を組織する２枚の布層間に、該２枚の布層組織と独立して、１又は複数の原糸が緯糸方向に挿入されていることを特徴とする、原糸を内包した織物。
【請求項２】
経糸と緯糸を織りなして組織された３枚の布層を含み、
隣接する少なくとも２層の布層間が、緯糸方向に延伸する複数の接結部に沿って接結されて袋織部が組織され、該複数の接結部によって該３枚の布層が一体化された１または複数の該袋織部を有する織物において、
少なくとも１つの前記袋織部を組織する２枚の布層間に、該２枚の布層組織と独立して、１又は複数の原糸が緯糸方向に挿入されていることを特徴とする、原糸を内包した織物。
【請求項３】
経糸と緯糸を織りなして組織された順に第１布層、第２布層および第３布層の３数の布層を含み、
第１布層と第２布層および第２布層と第３布層の隣接する２層の布層間が、緯糸方向に延伸する複数の接結部に沿って接結されて袋織部が組織され、該複数の接結部によって該３数の布層が一体化された複数の該袋織部を有する織物において、
少なくとも１つの前記袋織部を組織する２枚の布層間に、該２枚の布層組織と独立して、１又は複数の原糸が緯糸方向に挿入されていることを特徴とする、原糸を内包した織物。
【請求項４】
経糸と緯糸を織りなして組織された第１布層と第２布層の２数の布層を含み、
第１布層と第２布層の２層の布層間が、緯糸方向に延伸する複数の接結部に沿って接結されて、１または複数の袋織部が組織されて一体化された、少なくとも１又は複数の該袋織部を有する織物において、
少なくとも１つの前記袋織部を組織する２枚の布層間に、該２枚の布層組織と独立して、１又は複数の原糸が緯糸方向に挿入されていることを特徴とする、原糸を内包した織物。
【請求項５】
前記原糸は、
吸湿素材、吸水・吸汗・速乾素材、撥水素材、防水素材、透湿防水素材、
遠赤外線放射素材、蓄熱保温素材、吸湿素材、発熱素材、軽量素材、発熱冷感素材、
ストレッチ素材、
防風性素材、透け防止素材、
形態安定加工素材、防汚素材、
紫外線遮蔽素材、電磁波シールド素材、
高強度素材、難燃・防炎素材、静電気帯電防止素材、導電素材、
抗菌防臭素材、制菌素材、防ダニ素材、防蚊素材、消臭素材、マイナスイオン素材、花粉対策素材、美容素材、
リサイクル素材、省エネシャツ素材、生分解素材、
から選ばれた、いずれか１以上の素材を含む機能糸である、請求項１乃至請求項４のいずれか１項に記載された、原糸を内包した織物。  
【請求項６】
経糸及び緯糸をセットした織機を準備するステップと、
前記織機を用いて前記経糸と前記緯糸を織りなしてｎ重の布層（ｎは２以上の整数）を組織するステップと、
隣接する２枚の布層間に、該２枚の布層組織と独立して、１又は複数の原糸を緯糸方向に挿入するステップと、
前記隣接する２層の布層間を、緯糸方向に延伸する接結部に沿って接結するステップと、
を含み、ｎ重の布層を接結してｎ重織とした、原糸を内包した織物の製造方法。
【請求項７】
前記織機を用いて前記経糸と前記緯糸を織りなしてｎ重の布層を組織するステップは、
（１）任意の隣接する２枚のｋ番目の布層と（ｋ＋１）番目の布層間を接結し（１≦ｋ≦ｎ−１；ｋは整数）、緯糸方向に延伸する第１接結部を形成するステップと、
（２）前記ｋ番目の布層と（ｋ＋１）番目の布層間に、該２枚の布層組織と独立して、１又は複数の原糸を緯糸方向に挿入するステップと、
（３）前記ｋ番目の布層と（ｋ＋１）番目の布層間を接結し、緯糸方向に延伸する第２接結部を形成するステップと、
からなる、第１接結部と第２接結部間に原糸を内包した袋織部を形成するステップ、
を含む、請求項６に記載の原糸を内包した織物の製造方法。
【発明の詳細な説明】
【技術分野】
【０００１】
本発明は、原糸を内包した織物とその製造方法に関する。
【背景技術】
【０００２】
繊維製品は、一般には図６に示すように、繊維原料を紡績などして得た原糸を織り、又は編んで布を形成し、これを染色、仕上げ加工して縫製し、最終製品を得る。
【０００３】
染色工程は様々あるが、布を染色液に浸漬したり、糸又は綿の段階で先染めを行ったり、布に印刷を行うことにより、染色を行う。また、仕上げ加工も、布のゆがみを補正して布に寸法安定性を付与したり、風合いや外観を変える物理的加工や、布に新規の機能を付与するなどの、様々な加工がおこなわれる。
【０００４】
布に付与する機能としては、吸湿、撥水、防水、防風、透け防止、形態安定、紫外線遮蔽、電磁波シールド、難燃・防炎、静電気帯電防止、導電、抗菌防臭、消臭、花粉対策など、様々あるが、上記のように、仕上げ加工で布にこれらの機能を付与する代わりに、ポリエステルやナイロン、アクリルなどの汎用の化学繊維に新しい機能を付与した機能糸（付加価値素材）が盛んに開発されている。
【０００５】
しかし、これら機能糸の原材料繊維であるアクリルは、染色が困難であり、また、ポリエステルは２色染めによらなければ染色できず、２色染めは高コストであるなどの問題がある。さらに、原糸に機能を付加することにより、繊維製品としての吸湿性や柔軟性などの他の機能が劣化する可能性が発生しやすい。したがって、機能糸を用いて織物を製造しても、これを最終製品として販売することは困難であった。
【０００６】
このような機能糸を、袋織を組織する経糸に直角方向に挿入し、表面に出さないようにしてその機能を発揮させる方法も考え得るが、袋織部に後から機能糸を挿入する必要があり、製造工程が煩雑になる。
【０００７】
また、特許文献１には、次のような袋織基布が開示されている。すなわち、特許文献１に係る袋織基布は、図７（ａ）のように、袋織部１１１１と第１の接合構造部１１２１と第２の接合構造部１１２２とが連続的に形成され、袋織部１１１１の第１布層１２０１から第１の接合構造部１１２１へ延在する第１の連続糸と、袋織部１１１１の第２布層１２０２から第１の接合構造部１１２１へ延在する第２の連続糸の位置関係が入れ替えられて、２層となる構造が形成されており（以下、「風通織」という。）、第１の接合構造部１１２１は、第１の接合構造部１１２１の２層となる構造の内部に少なくとも１本の自由直交糸１４００を有しており、自由直交糸１４００は、第１の連続糸および第２の連続糸と直交する方向に延在し、かつ、第１の接合構造部１１２１の２層となる構造を形成しないようになっている。なお、図７（ｂ）、（ｃ）は、図７（ａ）の袋織基布の実施例である。
【０００８】
しかし、自由直交糸１４００を延在させる第１の接合構造部１１２１は、袋織基布の縁である第２の接合構造部１１２２と袋織部１１１１間の引張強度を高めるために介在させた組織であり、自由直交糸１４００を機能させるために組織した構造部ではなく、多数の自由直交糸１４００を延在させ得る構造ではない。
【０００９】
【特許文献１】特開２０１５−１９００８５号公報
【発明の概要】
【発明が解決しようとする課題】
【００１０】
そこで、本発明は、このような機能糸の機能を保持しつつ、従来の織物が持つその他の機能をそのまま活用すべく、袋織部を組織する段階で自由直交糸を挿入し得る、機能糸を含む原糸を内包した織物とその製造方法を提案する。
【課題を解決するための手段】
【００１１】
本発明に係る原糸を内包した織物は、経糸と緯糸を織りなして組織された複数の布層を含み、隣接する少なくとも２層の布層間が、緯糸方向に延伸する複数の接結部に沿って接結されて袋織部が組織され、該複数の布層が一体化された１または複数の該袋織部を有する織物において、
少なくとも１つの前記袋織部を組織する２枚の布層間に、該２枚の布層組織と独立して、１又は複数の原糸が緯糸方向に挿入されていることを特徴とする。
【００１２】
本発明に係る原糸を内包した織物は、経糸と緯糸を織りなして組織された３枚の布層を含み、隣接する少なくとも２層の布層間が、緯糸方向に延伸する複数の接結部に沿って接結されて袋織部が組織され、該複数の接結部によって該３枚の布層が一体化された１または複数の該袋織部を有する織物において、
少なくとも１つの前記袋織部を組織する２枚の布層間に、該２枚の布層組織と独立して、１又は複数の原糸が緯糸方向に挿入されていることを特徴とする。
【００１３】
本発明に係る原糸を内包した織物は、経糸と緯糸を織りなして組織された順に第１布層、第２布層および第３布層の３数の布層を含み、第１布層と第２布層および第２布層と第３布層の隣接する２層の布層間が、緯糸方向に延伸する複数の接結部に沿って接結されて袋織部が組織され、該複数の接結部によって該３数の布層が一体化された複数の該袋織部を有する織物において、
少なくとも１つの前記袋織部を組織する２枚の布層間に、該２枚の布層組織と独立して、１又は複数の原糸が緯糸方向に挿入されていることを特徴とする。
【００１４】
本発明に係る原糸を内包した織物は、経糸と緯糸を織りなして組織された第１布層と第２布層の２数の布層を含み、第１布層と第２布層の２層の布層間が、緯糸方向に延伸する複数の接結部に沿って接結されて、１または複数の袋織部が組織されて一体化された、少なくとも１又は複数の該袋織部を有する織物において、
少なくとも１つの前記袋織部を組織する２枚の布層間に、該２枚の布層組織と独立して、１又は複数の原糸が緯糸方向に挿入されていることを特徴とする。
【００１５】
本発明に係る原糸を内包した織物において、前記布層は、平織、斜文織、朱子織のいずれか又は２以上の組み合わせであってよい。また同様に、前記接結部も、平織、斜文織、朱子織のいずれか又は２以上の組み合わせであってよい。
【００１６】
本発明に係る原糸を内包した織物は、前記接結部を風通織として、隣接する前記袋織部同士の上布層と下布層とが入れ替わるように組織してもよい。
【００１７】
本発明に係る原糸を内包した織物は、前記原糸は、吸湿素材、吸水・吸汗・速乾素材、撥水素材、防水素材、透湿防水素材、遠赤外線放射素材、蓄熱保温素材、吸湿素材、発熱素材、軽量素材、発熱冷感素材、ストレッチ素材、防風性素材、透け防止素材、形態安定加工素材、防汚素材、紫外線遮蔽素材、電磁波シールド素材、高強度素材、難燃・防炎素材、静電気帯電防止素材、導電素材、抗菌防臭素材、制菌素材、防ダニ素材、防蚊素材、消臭素材、マイナスイオン素材、花粉対策素材、美容素材、リサイクル素材、省エネシャツ素材、生分解素材、から選ばれた、いずれか１以上の素材を含む機能糸であり得る。
【００１８】
本発明に係る原糸を内包した織物の製造方法は、
経糸及び緯糸をセットした織機を準備するステップと、
前記織機を用いて前記経糸と前記緯糸を織りなしてｎ重の布層（ｎは２以上の整数）を組織するステップと、
隣接する２枚の布層間に、該２枚の布層組織と独立して、１又は複数の原糸を緯糸方向に挿入するステップと、
前記隣接する２層の布層間を、緯糸方向に延伸する接結部に沿って接結するステップと、
を含み、ｎ重の布層間を接結してｎ重織とした。
【００１９】
本発明に係る原糸を内包した織物の製造方法において、前記織機を用いて前記経糸と前記緯糸を織りなしてｎ重の布層を組織するステップは、
（１）任意の隣接する２枚のｋ番目の布層と（ｋ＋１）番目の布層間を接結し（１≦ｋ≦ｎ−１；ｋは整数）、緯糸方向に延伸する第１接結部を形成するステップと、
（２）前記ｋ番目の布層と（ｋ＋１）番目の布層間に、該２枚の布層組織と独立して、１又は複数の原糸を緯糸方向に挿入するステップと、
（３）前記ｋ番目の布層と（ｋ＋１）番目の布層間を接結し、緯糸方向に延伸する第２接結部を形成するステップと、
からなる、第１接結部と第２接結部間に原糸を内包した袋織部を形成するステップ、を含む。
【発明の効果】
【００２０】
本発明に係る原糸を内包した織物は、袋織に織り上げた織物の袋織部の緯糸方向に、原糸を後から挿入するのではなく、袋織部を組織する織工程において予め原糸を袋織部内に挿入するので、本発明に係る織物が仕上がると同時に、任意の袋織部に任意の数の原糸を挿入した組織を得ることができる。したがって、従来の袋織の袋織部に、長い原糸を後から緯糸方向に挿入する作業を経る必要がなく、この原糸挿入作業に要する労力と時間を省いて容易に原糸を内包した織物を得ることができる。
【００２１】
本発明に係る原糸を内包した織物は、内包させる原糸として、種々の機能を付加したいわゆる機能糸を挿入することができる。本発明の原糸を内包した織物は、原糸が、織物組織と独立して織物表面の袋織部内に内包されるので、織物表面が本来的に持つ色、光沢、肌触り、風合いなどの特性や特徴、外観を従来通りそのまま活かしつつ、原糸に付加した機能を発揮させることが可能になる。また、袋織部には、どのような種類の原糸でも、物理的に可能な限り、何本でも内包させることができる。したがって、上記のように原糸として機能糸を用いれば、従来の織物としての外観や特徴を損なうことなく、種々の機能を付加することが可能になる。
【００２２】
このような本発明の原糸を内包した織物は、基本的には複数の袋織部を接結した２重織であるので、それぞれの袋織部内に複数の異なる種類の原糸を内包させることができ、あるいは、異なる袋織部ごとに異なる種類の機能糸を内包させることもできる。また、第１、第２、第３布層の３数の布層から本発明の原糸を内包した織物（３重織）を組織すれば、第１、第２布層で組織する表面側の袋織部と、第２、第３布層で組織する裏面側の袋織部とに、それぞれ異なる種類の原糸を内包させることができる。したがって、例えば、表面が撥水機能を持ち、裏面が保温機能を持つような、表面と裏面で異なる機能を持たせた３重織の織物を製造することが可能となる。
【００２３】
以上のような本発明に係る原糸を内包した織物は、理論上は布層を何層にも積層することができる。したがって、各層毎に異なる機能、特徴を持たせた織物を製造することが可能である。
【図面の簡単な説明】
【００２４】
【図１】本発明に係る原糸を内包した織物の断面図。
【図２】（ａ）本発明に係る１本の原糸を内包した２重織物の完全組織図、（ｂ）本発明に係る２本の原糸を内包した２重織物の完全組織図。
【図３】（ａ）本発明に係る原糸を内包した３重織物(Type Ａ)の断面図、（ｂ）本発明に係る原糸を内包した３重織物(Type Ｂ)の断面図。
【図４】（ａ）実施例１に係る原糸を内包した多重織物の断面模式図、（ｂ）実施例２に係る原糸を内包した多重織物の断面模式図、（ｃ）実施例３に係る原糸を内包した多重織物の断面模式図、（ｄ）実施例４に係る原糸を内包した多重織物の断面模式図。
【図５】（ａ）実施例５に係る原糸を内包した２重織物の組織図、（ｂ）その表組織の組織図、（ｃ）その裏組織の組織図。
【図６】繊維製品の製造工程のフロー図。
【図７】（ａ）公知の袋織基布の断面図、（ｂ）公知の袋織基布の例の断面図、（ｃ）公知の袋織基布の他の例の断面図。
【発明を実施するための最良の形態】
【００２５】
以下、図面を参照しながら、本発明に係る原糸を内包した織物とその製造方法の実施形態について説明する。なお、以下各図面を通して同一の構成要素には同一の符号を使用するものとする。
［原糸を内包した織物］
［実施形態１］  ２重織
【００２６】
本実施形態１に係る原糸を内包した織物１は、断面を図１に示すように、経糸１１、１３と緯糸１２を織りなして組織された第１布層１０と、経糸２１、２３と緯糸２２を織りなして組織された第２布層２０の２数の布層を含む。織物１は、第１布層１０と第２布層２０の２層の布層間が、上記緯糸１２、２２方向に延伸する複数の接結部４０に沿って接結されて、１または複数の袋織部５０が組織されて一体化されている。すなわち、本実施形態１の原糸を内包した織物１は、図１のように、第１布層１０を上布と、第２布層２０を下布として、両端を接結部４０により接結された、少なくとも１以上の袋織部５０を経糸１１、１３、２１、２３方向に有する。
【００２７】
本発明に係る原糸を内包した織物１は、少なくとも１つの袋織部５０を組織する２枚の布層（第１布層１０、第２布層２０）間に、当該２枚の布層組織と独立して、１又は複数の原糸３が緯糸方向に挿入されていることを特徴とする。なお、以下本発明に係る原糸を内包した織物１において、袋織部５０を組織する経糸１１、１３、２１、２３、及び緯糸１２、２２の種類は特に限定されず、同種類の糸であっても各々異なる種類の糸であってもよく、また、原糸３の種類も特に限定されない。
【００２８】
図２（ａ）、（ｂ）に、このような本発明に係る原糸を内包した２重織物１の完全組織図を示す。図２（ａ）は、１本の原糸３を内包した本発明に係る２重織物１の完全組織図であり、図２（ｂ）は、２本の原糸３を内包した本発明に係る２重織物の完全組織図である。
【００２９】
従来より、２枚の布層間に袋織部５０を組織した２重織の織物は存在し、袋織に織り上げた織物の袋織部５０の緯糸方向に、原糸３を後から挿入することは不可能とはいえないが、長い原糸３を、複数の袋織部５０の緯糸方向に、後から通していく作業は非常に困難で、労力と時間を要することが予想される。しかし、本発明に係る原糸３を内包した織物１は、袋織部５０を組織する織工程において、袋織部５０内に予め原糸３を挿入するので、織物１が仕上がると同時に、任意の袋織部５０に任意の数の原糸３を挿入した組織を得ることができる。
【００３０】
図２（ａ）、（ｂ）において、第１布層１０、第２布層２０及び接結部４０は何れも平織の例を図示したが、第１布層１０と第２布層２０は、平織、斜文織、朱子織のいずれであってもよく、又はこれらの２以上の組み合わせであってもよい。同様に、接結部４０も、平織、斜文織、朱子織のいずれであってもよい。あるいは、接結部４０は、上記図７（ａ）〜（ｃ）の風通織のように、隣接する袋織部５０同士の第１布層１０と第２布層２０とが入れ替わるように組織してもよい。
【００３１】
また、原糸３の種類は限定されず、いわゆる機能糸であってもよい。機能糸とは、上述のように、原糸に種々の機能を付加した糸をいう。この種々の機能を付加する原糸の種類は特に限定されないが、ポリエステルやナイロン、アクリルなどの汎用の化学繊維に新しい機能や特性を付与した付加価値素材が知られており、その目的に応じて次表のような素材があげられる。
【００３２】
【表１】
2018066094.tif 000003
【００３３】
本発明に係る原糸を内包した織物１は、各袋織部５０内に、上記表１のような素材の機能糸を多種類挿入することもできるし、各袋織部５０内の機能糸の種類を揃えて、各袋織部５０ごとに異なる種類の機能糸を内包させてもよい。
【００３４】
すなわち、本発明に係る原糸を内包した織物１は、例えば、吸湿素材、吸水・吸汗・速乾素材、撥水素材、防水素材、透湿防水素材、遠赤外線放射素材、蓄熱保温素材、吸湿素材、発熱素材、軽量素材、発熱冷感素材、ストレッチ素材、防風性素材、透け防止素材、形態安定加工素材、防汚素材、紫外線遮蔽素材、電磁波シールド素材、高強度素材、難燃・防炎素材、静電気帯電防止素材、導電素材、抗菌防臭素材、制菌素材、防ダニ素材、防蚊素材、消臭素材、マイナスイオン素材、花粉対策素材、美容素材、リサイクル素材、省エネシャツ素材、生分解素材、から選ばれた、いずれか１以上の素材を含む機能糸であるが、素材は以上のものに限定されず、織物等でなく原糸であれば、どのような素材の機能糸を内包してもよい。  
［実施形態２］  ３重織
【００３５】
本発明に係る原糸を内包した織物１は、上述のような２重織に限らず、図３（ａ）、（ｂ）に示すような３重織であってもよい。３重織の本発明に係る原糸を内包した織物１は、経糸と緯糸を織りなして組織された３枚の布層１０、２０、３０を含み、隣接する少なくとも２層の布層間（１０、２０）、又は（２０、３０）が、緯糸方向に延伸する複数の接結部４０に沿って接結されて袋織部５０が組織され、この複数の接結部４０によって３枚の布層１０、２０、３０が一体化されている。そして、少なくとも１つの袋織部５０を組織する２枚の布層間（１０、２０）、又は（２０、３０）に、この２枚の布層組織（１０、２０）、又は（２０、３０）と独立して、１又は複数の原糸３が緯糸方向に挿入されていることを特徴とする。
【００３６】
図３（ａ）、（ｂ）において、３重織は、経糸と緯糸を織りなして組織された順に第１布層１０、第２布層２０および第３布層３０の３数の布層から構成されるが、図３（ａ）、（ｂ）の模式図では、緯糸が省略されて経糸方向の布層１０、２０、３０のみが表示されている。第１布層１０と第２布層２０および第２布層２０と第３布層３０の隣接する２層の布層間（１０、２０）および（２０、３０）は、この経糸方向と直角な緯糸方向（紙面と直角の方向）に延伸する複数の接結部４０に沿って接結されて袋織部５０が組織され、この複数の袋織部５０に、１又は複数の原糸３が上記緯糸方向に挿入されている。なお、本発明に係る原糸を内包した織物１を表す模式的図面において、緯糸方向（紙面と直角の方向）に延伸する複数の接結部４０の組織は、図３（ａ）、（ｂ）のように、象徴的にバツ（×）印で示すこととする。
【００３７】
なお、図３（ａ）、（ｂ）に示した３重織の織物１の、隣接する２層の布層間（１０、２０）と（２０、３０）の接結部４０の位置から、３重以上の織物１における層間の袋織部５０の作り方は、以下のように大きくType Ａ、Type Ｂの２つの接結方法により分類することができる。
Type Ａ：図３（ａ）のように、隣接する２層の布層間（１０、２０）および（２０、３０）の接結部４０を共通させ、袋織部５０を上下に重ねる接結方法
Type Ｂ：図３（ｂ）のように、隣接する２層の布層間（１０、２０）および（２０、３０）の接結部４０をずらして、布層２０の上下の袋織部５０を相互の腹部で接結させる接結方法
【００３８】
従って、図３（ａ）、（ｂ）に示す、本発明に係る原糸を内包した３重織の織物１は、以下のように、Type Ａの接結方法により接結したType Ａの３重織と、Type Ｂの接結方法により接結したType Ｂの３重織とに分類することができる。
【００３９】
（Type  Ａの３重織)
第１布層１０と第２布層２０および第２布層２０と第３布層３０とが、同一の接結部４０に沿って接結されて、第２布層２０の上下に２つの袋織部５０が端部（接結部４０）を揃えて組織され、袋織部５０に１又は複数の原糸３が緯糸方向に挿入されている、原糸を内包した３重織の織物１（図３（ａ））。
【００４０】
（Type Ｂの３重織）
第１布層１０と第２布層２０および第２布層２０と第３布層３０とが、異なる接結部４０に沿って接結されて、袋織部５０が第２布層２０の上下に端部を相互の袋の腹部に接結されて組織され、袋織部５０に１又は複数の原糸３が緯糸方向に挿入されている、原糸を内包した３重織の織物１（図３（ｂ））。
【００４１】
なお、本実施形態２で説明した原糸を内包した３重織の織物１は、上記Type Ａの３重織とType Ｂの３重織に限定されるわけではなく、例えば、袋の一端を同一の接結部４０に沿って接結し、他端は異なる別々の接結部４０に沿って接結するような、その他のタイプの３重織であってもよい。本発明に係る原糸を内包した３重織の織物１は、これらのタイプを混在させた、端部（接結部４０）を共有したり違えたりする袋織部５０が混在する３重織の織物に、原糸３を内包させた織物１であってもよい。
【００４２】
以上のような構成の３重織の織物に内包させる原糸３は、上述のような機能糸であってもよく、上記２重織の場合と同様に、各袋織部５０内に任意の種類の機能糸を物理的に許される数まで内包させることができる。例えば、図３（ａ）、（ｂ）の第２布層２０の上下に組織した袋織部５０において、第２布層２０の上側の袋織部５０に内包させる機能糸（原糸３）と、下側の袋織部５０に内包させる機能糸（原糸３）の種類を変えることによって、この３重織の織物１により形成する衣服などの外表面と内表面の機能を、防風機能と保温機能のように変えることが可能になる。
［実施形態３］  ｎ重織
【００４３】
以上、本発明に係る原糸を内包した織物１について、２重織と３重織の実施形態を説明したが、本発明に係る織物１はこれらに限定されず、理論的にはｎ＝４以上の布層を接結させて構成してもよい。
【００４４】
すなわち、本発明に係る原糸を内包した織物１は、例えば図４（ａ）〜（ｄ）のように、布層の数に依らず、経糸と緯糸を織りなして組織された複数のｎ布層（ｎ≧２）を含み、隣接する少なくとも２層の布層間が、緯糸方向に延伸する複数の接結部４０に沿って接結されて袋織部５０が組織され、これら複数の布層が一体化された１または複数の袋織部５０を有する織物１である。そして、これらの袋織部５０のうち、少なくとも１つの袋織部５０を組織する２枚の布層間に、この２枚の布層組織と独立して、１又は複数の原糸が緯糸方向に挿入されていることを特徴とする。
【実施例１】
【００４５】
図４（ａ）に示す、実施例１に係る織物１は、実施形態１で示した２重織同士を、Type Ｂの接結方法で接結した、ｎ＝４の場合の原糸を内包した織物１の例である。上方から、実施形態２で示したType Ｂの３重織と２重織が連続して現れる構造となっている。何れか１つ以上の袋織部５０に原糸３を内包させることにより、本発明に係る原糸を内包した織物１を構成することができるが、図４（ａ）では原糸３は省略している。以下図４（ｂ）〜（ｄ）においても同様に原糸３を省略する。
【実施例２】
【００４６】
図４（ｂ）は、図４（ａ）の実施例１に係る織物１の２重織の下方に、Type Ｂの３重織を、Type Ａの接結方法で接結した、ｎ＝７の場合の原糸を内包した織物１の例である。上方からType Ｂの３重織、Type Ａの３重織、及びType Ｂの３重織が連続して現れる構造である。
【実施例３】
【００４７】
図４（ｃ）に示す、実施例３に係る織物１は、２重織を、Type Ｂの接結方法でType Ａの３重織の上から接結し、さらにこのType Ａの３重織の下から２重織をType Ａの接結方法で接結した、ｎ＝７の場合の原糸を内包した織物１の例である。上方からType Ｂの３重織に続いて、２つのType Ａの３重織が接結部４０をずらせて連続して現れる構造である。
【実施例４】
【００４８】
図４（ｄ）のように、Type ＡやType Ｂの３重織の間に、袋織部５０の形成に寄与しない１又は複数の布層Ｃを挿入し、端部で上下の布層と接結することも可能である。あるいは、このような布層Ｃを表面に露出させて、端部で内部の布層と接結させてもよい。図４（ｄ）は、１層の布層Ｃを、上下からType Ａの３重織で鋏み、端部でこれらを接結した、ｎ＝７の場合の原糸を内包した織物１の例である。
［原糸を内包した織物の製造方法］
【００４９】
以上のように、本発明に係る原糸を内包した織物１の実施形態について説明したが、以下にその製造方法について説明する。すなわち、本発明に係る原糸を内包した織物の製造方法は、
（Ａ）経糸及び緯糸をセットした織機を準備するステップと、
（Ｂ）上記織機を用いて、セットした経糸と緯糸を織りなして複数の布層を組織するステップと、
（Ｃ）隣接する２枚の布層間に、当該２枚の布層組織と独立して、１又は複数の原糸３を緯糸方向に挿入するステップと、
（Ｄ）上記隣接する２層の布層間を、緯糸方向に延伸する接結部に沿って接結するステップと、
を含み、ｎ重の布層を接結して一体化した、ｎ重織の製造方法である。
【００５０】
上記（２）〜（４）のステップを少なくとも２回繰り返すことによって、任意の布層間に原糸３を緯糸方向に挿入した、１以上の袋織部５０を形成することができ、本発明に係る原糸を内包した織物１を得ることができる。
【００５１】
より分かりやすく、袋織を形成するステップを定義して上記製造方法を説明すると、本発明に係る原糸を内包した織物１の製造方法において、
上記（Ａ）織機を用いて前記経糸と前記緯糸を織りなしてｎ重の布層を組織するステップは、
（Ａ１）任意の隣接する２枚のｋ番目の布層と（ｋ＋１）番目の布層間を接結し（１≦ｋ≦ｎ−１；ｋは整数）、緯糸方向に延伸する第１接結部を形成するステップと、
（Ａ２）前記ｋ番目の布層と（ｋ＋１）番目の布層間に、当該２枚の布層組織と独立して、１又は複数の原糸３を緯糸方向に挿入するステップと、
（Ａ３）前記ｋ番目の布層と（ｋ＋１）番目の布層間を接結し、緯糸方向に延伸する第２接結部を形成するステップと、
からなる、第１接結部と第２接結部間に原糸３を内包した袋織部５０を形成するステップを含む。
【００５２】
上記（Ａ１）〜（Ａ３）のステップによって、ｋ番目の布層と（ｋ＋１）番目の布層間に原糸３を内包した袋織部５０が形成される。このような袋織部５０を、上記Type Ａ、Type Ｂやその他のタイプの３重織方法等を用いて、複数の原糸３を内包した袋織部５０をｎ重織中に形成することができ、本発明に係る原糸を内包した織物１を得ることができる。
【００５３】
本発明に係る原糸を内包した織物の製造方法において用いる織機は、経糸方向に袋織を組織するためにドビー又はジャガードあるいは電子開口装置を搭載していれば、特に限定されない。また、横入れ装置としては、２色以上の緯糸を織り込むのであれば多色挿入装置を用いるのが好ましいが、緯糸の種類が一色であれば特に限定されない。これらを搭載した織機を用いて、内包する原糸の種類を変えた、本発明に係る原糸を内包した織物を製造することができる。
【実施例５】
【００５４】
図５（ａ）〜（ｃ）に、実施例５に係る原糸を内包した織物１の組織図を示す。
【００５５】
図５（ｂ）、（ｃ）は、それぞれ表組織と裏組織の組織図である。図５（ｂ）の表組織において、経糸が表面に出る部位を黒塗りとし、図５（ｃ）の裏組織において、経糸が表面に出る部位を薄黒塗りとしている。
【００５６】
この表組織と裏組織の組織図５（ｂ）、（ｃ）をまとめて、図５（ａ）の全体の組織図を得る。図５（ａ）において、斜線の目は、裏組織を織る際に表組織を上側に保持している部位である。図５（ａ）の左側の添え字Ｙの行で、原糸を緯糸方向に挿入する。また、図５（ａ）の９列目と１０列目は、組織を形成する経糸と原糸とを平織にして、原糸を固定しようとする意図である。
【００５７】
以上、本発明に係る原糸を内包した織物について説明したが、本発明は上記実施形態や実施例に限定されるものではない。また、本発明に係る原糸を内包した織物において、原糸及び原糸を内包する織物の材料、材質、種類等も特に限定されない。また、実施例は平織としたが、その織り方も、上述のように限定されない。
【００５８】
その他、本発明は、その主旨を逸脱しない範囲で当業者の知識に基づき種々の改良、修正、変更を加えた態様で実施できるものである。
【産業上の利用可能性】
【００５９】
本発明に係る原糸を内包した織物は、例えば、耐火性や抗菌性、防水性など、様々な機能を必要とする衣服などを形成する織物に利用することができる。
【符号の説明】
【００６０】
１：本発明に係る原糸を内包した織物
３：原糸
１０：第１布層（上布）
１１、１３：経糸
１２：緯糸
２０：第２布層（下布）
２１、２３：経糸
２２：緯糸
３０：第３布層
３１、３３：経糸
３２、３４：緯糸
４０：接結部
５０：袋織部
【図１】
2018066094.tif 000004
【図２】
2018066094.tif 000005
【図３】
2018066094.tif 000006
【図４】
2018066094.tif 000007
【図５】
2018066094.tif 000008
【図６】
2018066094.tif 000009
【図７】
2018066094.tif 000010